(57)【要約】【課題】座席に設けられるカップホルダにトレイを保持する保持構造を提供する。【解決手段】トレイ１３には、カップホルダ１２内に嵌挿される円筒状の挿入部３１が下方に突出して形成されており、円筒状のカップホルダ１２は、軸方向に上部体２２と下部体２３とに分割され、下部体２３は上部体２２に対して上下方向に移動可能にされており、下部体２３が移動方向の下端に位置するときにカップホルダ１２の内周面に形成される間隙部２５と、トレイ１３の挿入部３１に設けられ、挿入部３１の径方向に弾性を有し、挿入部３１の外周面上に突出する掛止爪３３と、を備え、カップホルダ１２内に上方から挿入部３１が嵌挿されたとき間隙部２５に掛止爪３３が掛止され、下部体２３が上方に移動されるとき、掛止爪３３が下部体２３に摺接されることにより弾性変形し、掛止爪３３の掛止が解除される。【選択図】図７
2019072094.tif 000002
【特許請求の範囲】
【請求項１】
座席に設けられる円筒状のカップホルダにトレイを保持するトレイの保持構造であって、
前記トレイには、前記カップホルダ内に嵌挿される円筒状の挿入部が下方に突出して形成されており、
前記カップホルダは、軸方向に上部体と下部体とに分割され、前記下部体は前記上部体に対して上下方向に移動可能にされており、
前記下部体が移動方向の下端に位置するときに前記カップホルダの内周面に形成される間隙部と、
前記トレイの前記挿入部に設けられ、前記挿入部の径方向に弾性を有し前記挿入部の外周面上に突出する掛止爪と、
を備え、
前記カップホルダ内に上方から前記挿入部が嵌挿されたとき前記間隙部に前記掛止爪が掛止され、前記下部体が上方に移動されるとき、前記掛止爪が前記下部体に摺接されることにより弾性変形し、前記掛止爪の掛止が解除されることを特徴とするカップホルダへのトレイの保持構造。
【請求項２】
前記下部体は、付勢部材によって移動方向の下端に向けて付勢されている請求項１に記載のカップホルダへのトレイの保持構造。
【請求項３】
前記間隙部は前記カップホルダの周方向へ伸びる長穴状に形成されることにより、前記トレイが前記カップホルダに対して回動可能とされている請求項１又は２に記載のカップホルダへのトレイの保持構造。
【請求項４】
前記間隙部は、前記上部体の周壁に形成された切欠き又は穴である請求項１乃至３のいずれかに記載のカップホルダへのトレイの保持構造。
【請求項５】
前記間隙部は前記下部体が移動方向の下端に位置するときに前記上部体の下端との間に形成される隙間である請求項１乃至３のいずれかに記載のカップホルダへのトレイの保持構造。
【請求項６】
前記掛止爪は、前記下部体が上方に移動するとき、前記下部体の上端部に摺接されることにより掛止が解除される請求項１乃至５のいずれかに記載のカップホルダへのトレイの保持構造。
【請求項７】
前記カップホルダの内底面と、嵌挿された前記挿入部の外底面との間には、空間が設けられている請求項１乃至６のいずれかに記載のカップホルダへのトレイの保持構造。
【発明の詳細な説明】
【技術分野】
【０００１】
本発明は、座席に設けられたカップホルダにトレイを保持させるためのカップホルダへのトレイの保持構造に関する。
【背景技術】
【０００２】
自動車には、引き出し式のトレイにカップホルダが設けられていることがある。例えば、自動車のダッシュボードの中央部に設けられ、平板が前後に滑動してひき出し形態に突き出しと差し込みの動きをするスナックトレイは、平板の手前両角の近辺にカップ類を差し込んで保持する穴が設けられている（特許文献１を参照）。
また、劇場や映画館等の座席には、飲料用のカップやボトル等を保持するためのカップホルダが設けられており、そのカップホルダにスナック類を載せるトレイを支持可能に構成したものがある。例えば、カップホルダの凹部の底面の中心に丸孔を穿設し、トレイの下方に突出する取付軸を丸孔に嵌挿することにより、トレイをカップホルダに着脱可能且つ回動可能に取り付けるトレイ装置がある（特許文献２を参照）。このトレイ装置では、取付軸の下端部に、カップホルダの丸孔の下縁部周囲に係合する係脱可能な係止部を設けることもできる。
その他、トレイに筒状の取付部を突設し、この取付部の底面とカップホルダの底部とに相互係止手段を設けたトレイ装置や、カップホルダの底部に係止孔を設け、取付部の底面に前記係止孔に係合できる係止鉤片を形成したトレイ装置がある（特許文献３を参照）。また、カップホルダの上端部を円筒状に形成し、トレイの下面に、前記円筒の曲率に合致する曲率の円弧状をなし、前記カップホルダの上端部に嵌合する幅の下向き凹溝を有する取付部を突設したトレイ装置がある（特許文献４を参照）。
【先行技術文献】
【特許文献】
【０００３】
【特許文献１】実開昭６２−８３７３７号公報
【特許文献２】特開平１１−３４２０４２号公報
【特許文献３】特開平１１−３４２０４０号公報
【特許文献４】特開平１１−３４２０４１号公報
【発明の概要】
【発明が解決しようとする課題】
【０００４】
従来、多くのカップホルダが、座席の肘掛けの先端部や、背もたれの背面に設けられている。このようなカップホルダに支持されたトレイは、座席の着座者のすぐ前や、座席周囲の通路上にはみ出して位置することとなるため、座席への着座時や起立時、通路の歩行時等に人の足等が当たりやすい。
特許文献２に記載されているような、取付軸を丸孔に嵌挿するという差込のみでトレイをカップホルダに支持させる構造は、トレイに人の足等が当たると、トレイがカップホルダからすぐに外れてしまうという問題がある。
また、特許文献３に記載されているような、トレイの取付部の底面とカップホルダの底部とに係止手段を設けた構成は、トレイの取付部をカップホルダ内へ一杯に差し入れなければ係止ができない、係止されたか否かを判別しづらい、係止部位を目視することができない等の理由から、係止の確実性に欠けるばかりでなく、トレイを外す際に係止の解除を行い難いという問題がある。
また、特許文献４に記載されているような、トレイの取付部の凹溝をカップホルダの上縁部に嵌合する構成は、取付部の全体をカップホルダに差し入れるものに比べて差込が浅くなるため、トレイに人の足等が当たる、トレイを回転させる等の際にトレイがカップホルダから簡単に外れてしまうという問題がある。
【０００５】
本発明は、上記現状に鑑みてなされたものであり、座席に設けられたカップホルダにトレイを保持させる保持構造を提供することを目的とする。
【課題を解決するための手段】
【０００６】
上記問題を解決するために、請求項１に記載の発明は、座席に設けられる円筒状のカップホルダにトレイを保持するトレイの保持構造であって、前記トレイには、前記カップホルダ内に嵌挿される円筒状の挿入部が下方に突出して形成されており、前記カップホルダは、軸方向に上部体と下部体とに分割され、前記下部体は前記上部体に対して上下方向に移動可能にされており、前記下部体が移動方向の下端に位置するときに前記カップホルダの内周面に形成される間隙部と、前記トレイの前記挿入部に設けられ、前記挿入部の径方向に弾性を有し前記挿入部の外周面上に突出する掛止爪と、を備え、前記カップホルダ内に上方から前記挿入部が嵌挿されたとき前記間隙部に前記掛止爪が掛止され、前記下部体が上方に移動されるとき、前記掛止爪が前記下部体に摺接されることにより弾性変形し、前記掛止爪の掛止が解除されることを要旨とする。
請求項２に記載の発明は、請求項１に記載の発明において、前記下部体は、付勢部材によって移動方向の下端に向けて付勢されていることを要旨とする。
請求項３に記載の発明は、請求項１又は２に記載の発明において、前記間隙部は前記カップホルダの周方向へ伸びる長穴状に形成されることにより、前記トレイが前記カップホルダに対して回動可能とされていることを要旨とする。
請求項４に記載の発明は、請求項１乃至３のいずれかに記載の発明において、前記間隙部は、前記上部体の周壁に形成された切欠き又は穴であることを要旨とする。
請求項５に記載の発明は、請求項１乃至３のいずれかに記載の発明において、前記間隙部は前記下部体が移動方向の下端に位置するときに前記上部体の下端との間に形成される隙間であることを要旨とする。
請求項６に記載の発明は、請求項１乃至５のいずれかに記載の発明において、前記掛止爪は、前記下部体が上方に移動するとき、前記下部体の上端部に摺接されることにより掛止が解除されることを要旨とする。
請求項７に記載の発明は、請求項１乃至６のいずれかに記載の発明において、前記カップホルダの内底面と、嵌挿された前記挿入部の外底面との間には、空間が設けられていることを要旨とする。
【発明の効果】
【０００７】
本発明によれば、座席に設けられる円筒状のカップホルダにトレイを保持するトレイの保持構造であって、前記トレイには、前記カップホルダ内に嵌挿される円筒状の挿入部が下方に突出して形成されており、前記カップホルダは、軸方向に上部体と下部体とに分割され、前記下部体は前記上部体に対して上下方向に移動可能にされており、前記下部体が移動方向の下端に位置するときに前記カップホルダの内周面に形成される間隙部と、前記トレイの前記挿入部に設けられ、前記挿入部の径方向に弾性を有し前記挿入部の外周面上に突出する掛止爪と、を備え、前記カップホルダ内に上方から前記挿入部が嵌挿されたとき前記間隙部に前記掛止爪が掛止され、前記下部体が上方に移動されるとき、前記掛止爪が前記下部体に摺接されることにより弾性変形し、前記掛止爪の掛止が解除されるため、間隙部への掛止爪の掛止によってカップホルダ内からトレイの挿入部を抜け難くすることができる。また、下部体を上方に移動させることで掛止爪の掛止を容易に解除することができる。これにより、着座者や通行者の足等がトレイに当たっても、カップホルダにトレイが保持された状態を維持することができるとともに、カップホルダからトレイを容易に取り外すことができる。
【０００８】
前記下部体は、付勢部材によって移動方向の下端に向けて付勢されている場合には、間隙部が形成された状態が通常状態となるため、トレイの挿入部がカップホルダに挿入されたときに掛止爪の掛止を行いやすくすることができる。
【０００９】
前記間隙部は前記カップホルダの周方向へ伸びる長穴状に形成されることにより、前記トレイが前記カップホルダに対して回動可能とされている場合には、長穴の範囲内で掛止爪を自在に移動させることができるため、カップホルダに保持されたトレイを使いやすくすることができる。
【００１０】
前記間隙部は、前記上部体の周壁に形成された切欠き又は穴である場合、又は前記間隙部は前記下部体が移動方向の下端に位置するときに前記上部体の下端との間に形成される隙間である場合には、簡単な構成で間隙部を容易に形成することができる。
【００１１】
前記掛止爪は、前記下部体が上方に移動するとき、前記下部体の上端部に摺接されることにより掛止が解除される場合には、下部体に掛止爪が好適に摺接されることで、掛止を簡単に解除することができる。
【００１２】
前記カップホルダの内底面と、嵌挿された前記挿入部の外底面との間には、空間が設けられている場合には、掛止爪の掛止を解除する際、下部体を動かしやすくすることができるとともに、カップホルダにトレイが安定して支持された状態を保つことができる。
【図面の簡単な説明】
【００１３】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】カップホルダにトレイを保持した状態を示す座席の斜視図である。
【図２】カップホルダの平面図である。
【図３】トレイの例を示す側面図である。
【図４】カップホルダの構成を示す図２におけるＡ−Ａ断面図である。
【図５】上部体の構成を示す（ａ）は平面図、（ｂ）は側面図、（ｃ）は（ａ）におけるＢ−Ｂ断面図である。
【図６】下部体の構成を示す（ａ）は平面図、（ｂ）は（ａ）におけるＣ−Ｃ断面図である。
【図７】カップホルダにトレイを保持した状態を示す側面の断面図である。
【図８】（ａ），（ｂ）は掛止時の掛止爪の動きを示す側面の断面図である。
【図９】（ａ），（ｂ）は解除時の掛止爪の動きを示す側面の断面図である。
【図１０】（ａ）〜（ｃ）はカップホルダに保持されたトレイを回動させた状態を示す平面図である。
【発明を実施するための形態】
【００１４】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１５】
本実施形態に係るカップホルダへのトレイの保持構造の構成及び構造の例を、図４及び７に表す。保持構造（１０）は、座席（１１）に設けられる円筒状のカップホルダ（１２）にトレイ（１３）を保持するためのものである。
前記トレイ（１３）は、前記カップホルダ（１２）内に嵌挿される円筒状の挿入部（３１）が下方に突出して形成されている。前記カップホルダ（１２）は、軸方向（Ａｘ）で上部体（２２）と下部体（２３）とに分割され、下部体（２３）は上部体（２２）に対して上下方向（軸方向）に移動可能にされている。
保持構造（１０）は、下部体（２３）が移動方向の下端に位置するときにカップホルダ（１２）の内周面に形成される間隙部（２５）と、トレイ（１３）の挿入部（３１）に設けられ、挿入部（３１）の径方向に弾性を有して挿入部（３１）の外周面上に突出する掛止爪（３３）と、を備えている。
カップホルダ（１２）内に上方からトレイ（１３）の挿入部（３１）が嵌挿されたとき、間隙部（２５）に挿入部（３１）の掛止爪（３３）が掛止される。また、下部体（２３）が上方に移動されるとき、掛止爪（３３）が下部体（２３）に摺接され、径方向に押圧されることによって弾性変形し、掛止爪（３３）の掛止が解除される。
【００１６】
前記座席（１１）は、特に問わないが、多くの場合、この座席（１１）は、劇場や映画館等に設置されるものである。劇場や映画館等の館内は暗く、座席周囲の通路も狭いため、カップホルダ（１２）に保持されたトレイ（１３）に着座者や通行者の足等が当たりやすい。足が当たった場合に、トレイ（１３）が落下等しないようにするため、保持構造（１０）を設けることが有用である。
前記カップホルダ（１２）は、座席（１１）に設けられる具体的な位置を特に問わない。例えば、カップホルダ（１２）は、肘掛け（１４）の先端部、座席（１１）の背もたれの背面、座面の側部等に設けることができる。多くの場合、カップホルダ（１２）は、利便性の観点から、着座者の肘が置かれる肘掛け（１４）の先端部に設けられる。
【００１７】
カップホルダ（１２）は、円筒状であればよく、大きさ、材料は、特に問わない。カップホルダ（１２）の形状で円筒状には、有底の円筒状や無底の円筒状、軸線方向の上方へ向かうにつれ径が拡がるテーパ状の円筒状や、軸線方向で径が同一の直線状の円筒状を含む。多くの場合、カップホルダ（１２）は、挿入部（３１）を嵌挿しやすいという観点から、軸線方向の上方へ向かうにつれ径が拡がるテーパ状の円筒状とされ、飲料用のカップやボトル等を下方から支えることができるという観点から、有底の円筒状とされる。
【００１８】
前記トレイ（１３）は、飲食物等を載置するためのものであり、形状、大きさ、材料は特に問わない。
前記挿入部（３１）は、前記カップホルダ（１２）内に嵌挿できるように、下方に突出して形成されているのであれば、トレイ（１３）上の何れの位置に形成されるかは特に問わない。また、挿入部（３１）は、前記カップホルダ（１２）内に嵌挿可能な円筒状であれば、大きさ、材料は、特に問わない。この円筒状には、有底の円筒状や無底の円筒状、軸線方向の上方へ向かうにつれ径が拡がるテーパ状の円筒状や、軸線方向で径が同一の直線状の円筒状を含む。そして、円筒状の挿入部（３１）内には、飲料用のカップやボトル等を挿入して保持することができる。
【００１９】
前記カップホルダ（１２）において、上部体（２２）及び下部体（２３）は、カップホルダ（１２）を軸方向（Ａｘ）で分割した形状とすることができ、カップホルダ（１２）の形状に準じ、円筒状であること以外は、特に問わない。上部体（２２）及び下部体（２３）の大きさ、材料は、特に問わない。上部体（２２）と下部体（２３）とは同一の材料であってもよいし、異なる材料であってもよい。
下部体（２３）を上部体（２２）に対して上下方向（軸方向）に移動可能にする構成は、特に問わない。例えば、上部体（２２）に対する下部体（２３）の移動をガイドするガイド片やガイド孔を設ける構成、あるいは上部体（２２）に対して下部体（２３）を、コイルスプリングやゴム等のような弾性部材を介して吊持する構成とすることができる。
【００２０】
保持構造（１０）が備える間隙部（２５）は、下部体（２３）が移動方向の下端に位置するときにカップホルダ（１２）の内周面側に形成されるのであれば、形状、大きさ、位置を特に問わない。
間隙部（２５）は、上部体（２２）の周壁に形成された切り欠き又は穴によって形成することができる。例えば、間隙部（２５）は、下部体（２３）が移動方向の下端に位置するときに、下部体（２３）の上端と上部体（２２）の下端との間に形成される隙間によって形成することができる。
【００２１】
保持構造（１０）が備える掛止爪（３３）は、トレイ（１３）の前記挿入部（３１）に設けられ、挿入部（３１）の径方向に弾性を有して挿入部（３１）の外周面上に突出するのであれば、形状、大きさ、位置、材質は、特に問わない。
例えば、挿入部（３１）の外周面上に掛止爪（３３）を突出形成し、この掛止爪（３３）の周縁で挿入部（３１）の周壁を凹字状に切り欠くことで、掛止爪（３３）は径方向に弾性を有する弾性片と一体的に形成することができる。また、掛止爪（３３）は、挿入部（３１）の外周面上に設けられた凹部内に、ゴムシートやコイルスプリング等の弾性部材を介して設けることで、径方向に弾性を有し、かつ挿入部（３１）の外周面上に突出するように設けることができる。
【００２２】
カップホルダ（１２）内に上方から挿入部（３１）が嵌挿されると、掛止爪（３３）が間隙部（２５）に掛止される（図７参照）。
歩行時や着座時に人の足がトレイ（１３）に当たる等して、挿入部（３１）がカップホルダ（１２）内から抜け出そうとする場合、掛止爪（３３）が間隙部（２５）に掛止されているため、その抜け出しが規制される。このように、挿入部（３１）のカップホルダ（１２）内からの抜け出しが規制されることにより、人の足が当たる等しても、トレイ（１３）をカップホルダ（１２）に保持できる。
また、掛止爪（３３）は、挿入部（３１）の底部ではなく外周面に設けられているため、挿入部（３１）をホルダ本体（２１）内に嵌挿するとき、特に意識せずとも、掛止爪（３３）は、間隙部（２５）に掛止されるので、トレイ（１３）をカップホルダ（１２）に確実に保持できる。（図８参照）。
【００２３】
使用者が下部体（２３）を押し上げる等により下部体（２３）が上方に移動されるとき、掛止爪（３３）は下部体（２３）の摺接により径方向に押されて弾性変形し、前記掛止爪（３３）の掛止が解除される。この掛止が解除された状態を保ちつつ、カップホルダ（１２）内から挿入部（３１）を抜き出すことで、トレイ（１３）をカップホルダ（１２）から脱着することができる。
掛止爪（３３）の掛止が解除された状態で尚、挿入部（３１）はカップホルダ（１２）内に嵌挿されている。これにより、トレイ（１３）のカップホルダ（１２）からの脱着は、挿入部（３１）がカップホルダ（１２）内に嵌挿された安定した状態で行うことができる（図９参照）。
掛止爪（３３）が下部体（２３）の何れの位置に摺接されるかは特に問わない。例えば、掛止爪（３３）は、下部体（２３）が上方に移動するとき、下部体（２３）の上端部に摺接されることにより掛止が解除されるようにすることができる。
【００２４】
下部体（２３）は、付勢部材（２４）によって移動方向の下端に向けて付勢することができる（図４参照）。
付勢部材（２４）は、下部体（２３）を付勢することが可能なものであれば、種類、形状、材料は、特に問わない。多くの場合、付勢部材（２４）には、コイルスプリングや、ゴムロープ等の弾性部材が使用される。
下部体（２３）が移動方向の下端に向けて付勢されている場合、間隙部（２５）は、通常、開いた状態に保たれる。このため、間隙部（２５）への掛止爪（３３）の掛止を確実なものとすることができる（図８参照）。
【００２５】
間隙部（２５）は、カップホルダ（１２）の周方向へ伸びる長穴状に形成することができる（図４参照）。この場合、掛止爪（３３）は、間隙部（２５）内を移動することができる（図１０参照）。これにより、トレイ（１３）は、カップホルダ（１２）に保持されたままで、挿入部（３１）を中心として回動させることができる。
トレイ（１３）を回動させることができる範囲は、長穴状に形成した間隙部（２５）の長さに応じて設定することができる。このトレイ（１３）を回動させることができる範囲は、カップホルダ（１２）が設けられた肘掛け（１４）にトレイ（１３）が衝突しない範囲で適宜とすることができる。具体的には、肘掛け（１４）にトレイ（１３）を真っ直ぐに保持させた状態を基準位置として、この基準位置から右側又は左側の何れか一方への回動角度が１５度以上で１８０度未満が好ましく、３０度以上で１５０度以下がより好ましく、６０度以上で１２０度以下がより好ましい。
【００２６】
カップホルダ（１２）の内底面と、嵌挿された挿入部（３１）の外底面との間には、空間（Ｓ）を設けることができる（図７参照）。
この空間（Ｓ）により、掛止爪（３３）の掛止を解除する際、下部体（２３）を動かしやすくすることができる。また、空間（Ｓ）は、下部体（２３）を移動するときに発生する衝撃や振動を挿入部（３１）に伝わり難くするので、掛止爪（３３）の掛止を解除する際、カップホルダ１２にトレイ１３が安定して支持された状態を保つことができる。
空間（Ｓ）は、掛止爪（３３）による掛止の解除時にカップホルダ（１２）の内底面が挿入部（３１）の外底面に接触しないように設けられているのであれば、大きさは、特に問わない。
【００２７】
（実施例）
以下、図面を参照しつつ、保持構造１０の実施例を説明する。
図１は、座席１１を例示した図であり、図２は、実施例に係るカップホルダ１２を上面視した図であり、図３は、実施例に係るトレイ１３を例示した図であり、図４は、図２のＡ−Ａ断面を表した図である。
座席１１は、劇場や映画館等に設置されたものであり、肘掛け１４の先端部には、肘掛け１４を支えるための基部１５と、着座者が肘を置くための表層部１６とを上下に貫いて、円筒状のホルダ孔１７が形成されている。
カップホルダ１２は、上方へ向かうにつれ径が拡がるテーパ状で有底の円筒状に形成されている。このカップホルダ１２は、ホルダ孔１７内に嵌入されて、肘掛け１４の先端部から下方に突出するようにして設けられる。
トレイ１３は、合成樹脂等の材料により、スナック類や軽食類等を載置可能な略皿状に形成されている。トレイ１３の周縁部には、カップホルダ１２内に嵌挿される挿入部３１が下方に突出して形成されている。挿入部３１は、カップホルダ１２に対応する形状になるように、上方へ向かうにつれ径が拡がるテーパ状で有底の円筒状に形成されている。この挿入部３１内には、通常のカップ等を自由に挿入して保持することができる。
保持構造１０は、カップホルダ１２にトレイ１３を保持するためのものであり、カップホルダ１２に設けられる間隙部２５と、トレイ１３に設けられる掛止爪３３とを備えている。
【００２８】
カップホルダ１２は、間隙部２５を設けるために、軸方向Ａｘで上部体２２と下部体２３とに分割されている。
図５（ａ）は、上部体２２を上面視した図であり、図５（ｂ）は、上部体２２を側面視した図であり、図５（ｃ）は、図５（ａ）のＢ−Ｂ断面を表した図である。
上部体２２は、軸方向で径が同一の円筒状に形成され、外周面上端に上部フランジ２２Ａが横方向へ延設され、外周面下端に下部フランジ２２Ｂが横方向へ延設されている。
上部体２２の周壁にはガイド孔２２Ｃが、上下方向に伸びるように透設されている。ガイド孔２２Ｃの上端は、上部体２２の中間部に位置し、下端は、上部体２２の下端に達している。また、ガイド孔２２Ｃは、上部体２２の周方向で所定間隔おきに複数設けられている（本実施例では、周方向で１２０度間隔おきに３つ）。
【００２９】
図６（ａ）は、下部体２３を上面視した図であり、図６（ｂ）は、そのＣ−Ｃ断面を表した図である。
下部体２３は、上方へ向かうにつれ径が拡がるテーパ状で有底の円筒状に形成されている。また、下部体２３は、上端の径が上部体２２の径と等しく設定されている。
下部体２３の上端からは、ガイド片２３Ａが、上方に向けて延設されている。ガイド片２３Ａの上端部は、横方向の外側へ折れ曲がったＬ字状に形成されている。ガイド片２３Ａは、上部体２２のガイド孔２２Ｃと対応する位置関係となるように、複数設けられている（本実施例では、周方向で１２０度間隔おきに３つ）。これらガイド片２３Ａは、ガイド孔２２Ｃ内に挿入可能なサイズとされる。
【００３０】
図４に示すように、上部体２２及び下部体２３は、ガイド孔２２Ｃにガイド片２３Ａが下方から挿し込まれて組み合わされている。ガイド片２３Ａは、ガイド孔２２Ｃ内を上下方向にスライド移動することができ、これにより、下部体２３は上部体２２に対して上下方向に移動可能とされる。
上部体２２の上部フランジ２２Ａと、下部体２３のガイド片２３Ａの上端部との間には、付勢部材であるコイルスプリング２４が架設されている。下部体２３は、コイルスプリング２４を介して上部体２２に吊持された状態となっており、この状態が下部体２３の移動方向の下端とされる。
下部体２３が移動方向の下端に位置するとき、カップホルダ１２の内周面には、上部体２２の下端との間に形成される隙間によって間隙部２５が形成される。この間隙部２５は、下部体２３のガイド片２３Ａ同士の間で、ホルダ本体２１の周方向へ伸びる長穴状に形成されている。
下部体２３は、コイルスプリング２４により、移動方向の下端に向けて付勢されている。このコイルスプリング２４の付勢力に抗して下部体２３を上方向に移動させると、下部体２３の上端と上部体２２の下端とが接触したとき、間隙部２５が閉じられる。
なお、下部体２３のガイド片２３Ａの上端部は、ガイド孔２２Ｃ内から外側へ突出されることにより、上部体２２の下部フランジ２２Ｂに引っ掛かることで、下部体２３が上部体２２から脱落することを防止している。
【００３１】
図３に示すように、挿入部３１の外周面上には、前記間隙部２５と対応する位置に、掛止爪３３が突出して形成されている。この掛止爪３３の周縁で挿入部３１の周壁が凹字状に切り欠かれることにより、孔３１Ａと、掛止爪３３と一体化した弾性片３２とが形成されている。
掛止爪３３は、一体化された弾性片３２を撓むように弾性変形させることで、挿入部３１の径方向に弾性を有している。そして、掛止爪３３は、挿入部３１の外周面上に突出した通常の状態から、弾性片３２の弾性変形により、挿入部３１の周壁に透設された孔３１Ａ内に没入させることができる。
また、掛止爪３３の下面３３Ａは、下方から上方へ向かうにつれて、挿入部３１の外周面から遠ざかるように傾斜する斜面状に形成されている。この下面３３Ａにカップホルダ１２の上部体２２や下部体２３が下方向から摺接されると、掛止爪３３は、径方向（挿入部３１の内側方向）に押されて弾性変形し、孔３１Ａ内に没入する。
【００３２】
図７は、カップホルダ１２にトレイ１３が保持された状態を表し、図８（ａ），（ｂ）は、掛止時の掛止爪３３の動きを表している。
トレイ１３は、カップホルダ１２内に上方から挿入部３１が嵌挿されたとき、間隙部２５に掛止爪３３が掛止されて、カップホルダ１２に保持される。
掛止時の掛止爪３３の動きを説明すると、図８（ａ）に示すように、カップホルダ１２内に上方から挿入部３１を嵌挿すると、掛止爪３３は、下面３３Ａを上部体２２の上端に摺接させることで、径方向（挿入部３１の内側方向）に押されて弾性片３２が弾性変形し、孔３１Ａ内に没入される。
図８（ｂ）に示すように、掛止爪３３は、間隙部２５に至ると、弾性片３２が元の形状に戻ることで、間隙部２５内に入り込み、そのまま、上部体２２の下端部で間隙部２５に掛止される。
図７に示すように、掛止爪３３が間隙部２５に掛止された状態で、挿入部３１はカップホルダ１２内からの抜け出しを規制されている。このため、トレイ１３に人の足が当たる等しても、トレイ１３はカップホルダ１２に保持された状態を維持することができる。
【００３３】
図９（ａ），（ｂ）は、解除時の掛止爪３３の動きを表している。
トレイ１３は、間隙部２５に対する掛止爪３３の掛止を解除することで、カップホルダ１２から脱着することができる。
図７に示すように、カップホルダ１２の内底面と、嵌挿された挿入部３１の外底面との間には、空間Ｓが設けられている。この空間Ｓは、掛止爪３３の掛止の解除時に、下部体２３が、掛止爪３３との接触を除き、挿入部３１に必要以上に接触しないようにする。この空間Ｓにより、下部体２３を上方へ移動させやすくするとともに、下部体２３を動かすことによる衝撃や振動が挿入部３１に伝わらないようにして、カップホルダ１２にトレイ１３が安定して支持された状態が保たれる。
【００３４】
解除時の掛止爪３３の動きを説明すると、図９（ａ）に示すように、コイルスプリング２４による付勢力に抗して下部体２３を上方へ移動させると、掛止爪３３は、下面３３Ａに下部体２３の上端部が摺接されることで、径方向（挿入部３１の内側方向）に押されて弾性片３２が弾性変形し、孔３１Ａ内に没入される。
図９（ｂ）に示すように、下部体２３の上端を上部体２２の下端に接触させると、間隙部２５が閉じて、間隙部２５に対する掛止爪３３の掛止が完全に解除される。そして、間隙部２５が閉じて掛止爪３３の掛止が解除された状態を保ちつつ、トレイ１３を持ち上げると、カップホルダ１２内から挿入部３１が抜き出され、トレイ１３がカップホルダ１２から脱着される。
掛止爪３３の掛止が完全に解除された状態で尚、挿入部３１はカップホルダ１２内に嵌挿された状態を保っている。従って、トレイ１３のカップホルダ１２からの脱着は、挿入部３１がカップホルダ１２内に嵌挿されて、トレイ１３がカップホルダ１２に支持された安定した状態で行うことができる。
【００３５】
図１０（ａ）は、トレイ１３がカップホルダ１２に保持された状態の上面視における断面図であり、図１０（ｂ）は、その状態からトレイ１３を左方向へ回動させた状態、図１０（ｃ）は、その状態からトレイ１３を右方向へ回動させた状態を表している。
間隙部２５が長穴状に形成されていることにより、掛止爪３３は、長穴の範囲内（ガイド片２３Ａに当たるまでの範囲内）で、自在に移動することができる。これにより、挿入部３１は、嵌挿されたカップホルダ１２内で回転することができ、この挿入部３１を中心にして、カップホルダ１２に対してトレイ１３を回動させることができる。
【００３６】
尚、本発明は上記で詳述した実施形態に限定されず、本発明の請求項に示した範囲で様々な変形又は変更が可能である。以下に、変形又は変更の例を示す。
間隙部２５は、上部体２２と下部体２３との隙間によって形成されることに限らず、上部体２２の周壁に形成された切欠き又は穴で形成してもよい。この場合、間隙部２５を閉じることができるように、切欠き又は穴に対応する突部を下部体２３の上端部に設けることができる。
下部体２３の上端の径を上部体２２の径よりも大径としてもよい。この場合、掛止爪３３には、下部体２３の上端部でなく内周面が摺接される。
付勢部材であるコイルスプリング２４により、下部体２３が移動方向の上端に向けて付勢されるようにして、間隙部２５が通常は閉じた状態になるように構成してもよい。この構成では、嵌挿時の挿入部３１の外底面がカップホルダ１２の内底面に接触されるようにして、挿入部３１で下部体２３を下方向へ押すことで、間隙部２５が形成されるようにすることが好ましい。このように構成した場合、間隙部２５が通常は閉じた状態であるから、間隙部２５に手指等が挟まることを防止することができる。
【符号の説明】
【００３７】
１０；保持構造、１１；座席、
１２；カップホルダ、２２；上部体、２３；下部体、２４；コイルスプリング（付勢部材）、２５；間隙部、
１３；トレイ、３１；挿入部、３２；弾性片、３３；掛止爪。
【図１】
2019072094.tif 000003
【図２】
2019072094.tif 000004
【図３】
2019072094.tif 000005
【図４】
2019072094.tif 000006
【図５】
2019072094.tif 000007
【図６】
2019072094.tif 000008
【図７】
2019072094.tif 000009
【図８】
2019072094.tif 000010
【図９】
2019072094.tif 000011
【図１０】
2019072094.tif 000012